(57)【要約】【目的】  美観を維持しながら確実な花などの保持を行い、且つ製造コストの低減効果や利便性も高く観賞用植物などを飾ることが可能な花器の提供を目的とする。【解決手段】本発明にかかる花器１は、底面部５と該底面部５から立ち上がり該底面部５を取り囲む側壁部４を有した花器本体２と、前記花器本体２の底面部５から略垂直に立ち上がるように配設される複数の弾性支持部材３とを有し、複数の弾性支持部材の弾性力により観賞用植物等の一部を挟持する。【選択図】  図１
2006246922.tif 000002
【特許請求の範囲】
【請求項１】
底面部と該底面部から立ち上がり該底面部を取り囲む側壁部を有した花器本体と、
前記花器本体の底面部から略垂直に立ち上がるように配設される複数の弾性支持部材とを有し、
前記複数の弾性支持部材の弾性力により観賞用植物等の一部を挟持することを特徴とする花器。
【請求項２】
前記側壁部は透明樹脂による成形体であることを特徴とする請求項１記載の花器。
【請求項３】
前記弾性支持部材は針状の部材であり、隣接する前記弾性支持部材との間の距離が、挟持する前記観賞用植物の位置に応じて異なるものに設定されていることを特徴とする請求項１記載の花器。
【請求項４】
前記弾性支持部材は樹脂製であることを特徴とする請求項１記載の花器。
【請求項５】
前記弾性支持部材は前記底面部に底部が埋め込まれて形成され、前記底面部から突出する長さが２センチメートル以上１０センチメートル以下とされることを特徴とする請求項４記載の花器。
【発明の詳細な説明】
【技術分野】
【０００１】
本発明は生け花などを差し込むことができる花器に関し、特に剣山のような別個の保持器具を不要とする花器に関する。
【背景技術】
【０００２】
一般的に、生け花などを所要の花器に生ける場合には、金属製の基台部上に複数の金属針を上が針の尖端となるように形成した剣山を使用することが広く行われている。ところが、従来の花器用の剣山は、花を生ける際に茎を金属製の針に突き刺すことが行われ、誤って手を刺してしまうこともあり、必ずしも安全な器具とは言えないという問題があり、また、剣山の表面で針が密集する態様は美観を損ねるという問題も生ずる。
【０００３】
このように従来からの剣山が抱える問題点を解決する技術として、樹脂製の本体の底部に重りとなる金属部材を配し、樹脂製の本体には複数の支持孔を設けた構造の花器用合成樹脂剣山も知られており（例えば、特許文献１参照。）、この剣山を用いた場合では金属針などの部分がなくなり、美観なども維持できることになる。
【０００４】
【特許文献１】特開２００３−２３０４７０号公報
【発明の開示】
【発明が解決しようとする課題】
【０００５】
ところが、前述の公報記載の技術では、複数の支持孔を有した複雑な形状の剣山本体を成型する必要があり、その製造が容易ではなく、また、内部に重りとなる金属部材も配設する必要があるため、製造コストが高くなってしまう。また、金属部分に水分などが侵入した場合では、周囲が成型された樹脂で覆われていることから乾燥しにくく腐食などの問題も生ずる可能性もある。
【０００６】
また、剣山に刺すべき花も種類に応じて多様な茎の径を有することになるが、支持孔ではそれぞれ茎に対して遊びを以て保持することになるため、径の小さな花を保持する場合では斜めにしか保持できないという問題も発生する。また、前述の公報記載の技術に開示される剣山は、陶磁器の如き花器の内部に載置する構造とされ、剣山と花器がセットで使用されることが前提となっており、花器が剣山に適合しない場合ではどちらかを入れ替えたり必要があり、煩瑣である。
【０００７】
花器の他の例として花瓶や一輪ざしを用いることも広く行われているが、これらは挿入部に対して花や花束などを差し込むことで飾り付けされるものであり、ある程度垂直方向に花を保持しようとすると花瓶や一輪ざしなども垂直方向に長くなり、誤ってぶつかった時に転倒したり、花も含めた全体的なデザインの内に花瓶など割合が大きくなるため、花を生活空間に持ち込む際の自由度には限界が生じていた。
【０００８】
上述の技術的な課題に鑑み、美観を維持しながら確実な花などの保持を行い、且つ製造コストの低減効果や利便性も高く観賞用植物を飾ることが可能な花器の提供を目的とする。
【課題を解決するための手段】
【０００９】
本発明の花器は、底面部と該底面部から立ち上がり該底面部を取り囲む側壁部を有した花器本体と、前記花器本体の底面部から略垂直に立ち上がるように配設され複数の弾性支持部材とを有し、前記複数の弾性支持部材の弾性力により観賞用植物等の一部を挟持することを特徴とする。
【００１０】
本発明の花器においては、従来の剣山のような略垂直に立ち上がる部材が用いられるが、この部材は弾性変形が可能な支持部材であって、花などの茎に刺して用いるのではなく、隣接する他の弾性支持部材との間に挟み込むようにして花などの観賞用植物を支持する。このため剣山のように針の鋭利な部分が上を向いて使用者が誤って刺してしまうようなことは生じない。また、底面部を取り囲むように側壁部が形成されていることから、この内部に水や保存液等を保持させることができ、本発明の花器１つで剣山としても機能でき、利便性が高い。
【００１１】
本発明の好適な実施形態によれば、花器本体を透明な樹脂材料で形成することが可能であり、例えば内部の複数の弾性支持部材を着色した樹脂材料で形成することで、いわゆるスケルトン風の如き今日のオフィス、インテリアなどに適合した美しいデザインの花器を提供することが可能となる。また、花器本体を樹脂の成型品で形成し、複数の弾性支持部材も同様に樹脂の成型品とすることで、比較的に製造コストを下げることも可能であり、量産するにも好適である。
【発明の効果】
【００１２】
本発明の花器によれば、従来の剣山などのように金属針が露出するようなこともなく、樹脂材などを多用することで、美観を備えた花器を提供することができ、その製造コストも低減させることができる。また、花などの観賞用植物を刺す方式や支持孔に差し込む方式ではなく、挟むように支持することで、例えば種々のサイズのものにも適用できると同時に使用者が誤って怪我をしてしまうような問題も未然に防ぐことができる。
【００１３】
また、一輪ざしなどの花瓶と比べて、本発明では花器本体を垂直方向に長く形成する必要がないことから、花器本体の安定性が高く、転倒などを未然防止することができ、さらに本発明の花器では、生活空間に持ち込んだ場合のデザインにも新たな自由度を以って創作できる。
【発明を実施するための最良の形態】
【００１４】
本発明の好適な実施形態を図面を参照しながら説明する。図１乃至図４は本実施形態の花器を示す。図１に示すように、本実施形態の花器１は、底面部５と該底面部５から立ち上がり該底面部５を取り囲む側壁部４を有した花器本体２と、前記花器本体２の底面部５から略垂直に立ち上がるように配設される複数の弾性支持部材３とを有している。
【００１５】
本実施形態では花器本体２は略円筒形であり、底面部５は円盤状である。この花器本体２は所要の樹脂材を成型し或いは部材同士を組み立てて形成される。花器本体２は、これ自体で十分に安定性を有する形状となっており、後述するように一本乃至数本程度の花を差し込んだ場合でも容易には倒れないように十分に広い底面積を有して構成される。
【００１６】
底面部５の周囲は側壁部４に取り囲まれており、例えば複数の弾性支持部材３に花を差し込んだ状態で水やその他の植物活性液などを花器本体２の内部に入れ、花の底部に茎の切断面などから水分を補給して、生け花の状態で比較的長く保持することができる。側壁部４は僅かに内側にテーパーをなすように形成されており、水などを出すときに便利である。
【００１７】
花器本体２を形成する樹脂は、後述するようにアクリル樹脂などの透明材料でも良いが、不透明な樹脂や着色された樹脂なども使用することができ、花器本体２の底面部５と側壁部４を同じ材料で作成することもでき、別個の材料を所定の形状の加工後に組み合わせるようにすることも可能である。樹脂材以外にもガラス、セラミック、金属、木材、その他複合材料などを用いることができる。
【００１８】
次に弾性支持部材３は図３の断面図に示すようにそれぞれ底部側の一部８が花器本体２の底面部５に埋め込まれるように形成され、それぞれの弾性支持部材３が底面部５の面から略垂直に立ち上がるように設けられている。弾性支持部材３の形状は、先細り形状とされた針状であるが、尖端部分は人などが誤って振れても皮膚などを傷つけることがない程度の丸みと弾力性を備えている。この弾性支持部材３の底部側と尖端部分の間は、それぞれ円筒状に細長い樹脂材とされており、主にこの部分で２、３本から数本程度、花の茎などの部分に密着する形で花などの植物を挟んで保持する。図４に示すように、複数の弾性支持部材３は、隣接する弾性支持部材３同士の間隔が密な領域と粗な領域とが形成されるように、挟持する前記観賞用植物の位置に応じて意図的に異なるものに設定されている。すなわち、例えば太い茎の花には比較的に間隔が空けられた部分の弾性支持部材３が使用され、逆に細い茎の花には比較的に間隔が狭められた部分の弾性支持部材３が使用される。従って、種々のサイズの花を確実に保持することができる。弾性支持部材３の底部側と尖端部分の間は円筒状に細長い樹脂材であることから、花の茎を保持する際には花の茎自体が略垂直に保持される。従って、一輪ざしとなるように、一本の花を差し込む場合でも略垂直に保持することが可能である。
【００１９】
この花器１に花を差し込む際には、花の差し込む部分に応じた、複数の弾性支持部材３間のスペースに花を押し込んでいく。このとき花の茎の方が複数の弾性支持部材３間のスペースよりも多少太い場合では、弾性支持部材３が撓んで尖端部側が広がり、特に過度の力を必要とせずに花を垂直方向に押し込むことができる。花を十分に底面側に押し込んだ状態では、複数の弾性支持部材３と花の密着性が上がり、花を十分に保持することができる。
【００２０】
図２は花の一例としてチューリップ７を花器１に差し込んだ状態を示しており、茎６の部分で複数の弾性支持部材３に保持されていることが分かる。この一輪ざし状態でテーブルや机などに飾ることもでき、花の差し込まれていない弾性支持部材３のところに他の花を追加することも可能である。また、差し込む植物も花に限定される訳ではなく、枝、木の実、プレートや飾りものなど種々のものを差し込むようにすることも可能である。
【００２１】
本実施形態の弾性支持部材３は底面側が底面部５に埋め込まれる構造とされているが、弾性支持部材３の一本一本あるいは複数本がまとめて底面部５や側壁部４に対して着脱するような構造とすることも可能である。また、本実施形態の弾性支持部材３は全部同じ形状を有しているが、色が異なるものを配列したり、異なる高さ、太さ、材質などの弾性支持部材を組み合わせるようにすることも可能である。弾性支持部材３は好ましくは底面部から突出する長さが２センチメートル以上１０センチメートル以下とされるが、より好ましくは２．５センチメートル以上７センチメートル以下の長さとされる。これは短すぎる場合には、花などを上手に保持することができず、また、長すぎる場合には花器本体の安定性が損なわれてしまうからである。
【００２２】
また、花器本体２の側面には、販売促進用など会社名などを入れることや、種々の模様をほどこすようにすることも可能である。側壁部４の上端側も図示のように平面状に限らず、波形状や矩形状などの形状を装飾的に有していても良い。
【００２３】
図４に示すように、比較的に間隔が空けられた部分の弾性支持部材３bはほぼ当該花器本体２の中央部分で中心に１つの六角形の角部をなす部分に配置され、その六角形の図形が真ん中に１つと周囲に６つ並ぶような配置とされており、その周囲にはわずかに間隔が狭められるような配置で弾性支持部材３ａが配されている。六角形同士の間隔が最も狭くなるように設定されており、この部分で細い茎の花を有効に保持することができる。このように少なくとも３段階の弾性支持部材３の間隔の差異があり、各弾性支持部材３は弾性変形しながら花等を保持できるため、花のサイズによらずに確実な保持ができる。また、各花は略垂直方向に延びるように保持されるため、一本の花を差し込む場合でも略垂直に保持することが可能である。
【００２４】
図５及び図６に、第２の実施形態の花器１１として、花器本体１２を透明樹脂で形成した例を示す。花器本体１２は底面部１５と該底面部１５から立ち上がり該底面部１５を取り囲む側壁部１４を有しており、この花器本体１２の底面部１５から略垂直に立ち上がるように複数の弾性支持部材１３が配設されている。
【００２５】
本実施形態の花器１１は、特に花器本体１２を透明樹脂で形成していることから、花器本１２の中心部に配設された複数の弾性支持部材１３が透明樹脂部分を透過して見えるように構成されており、視覚的に美観を伴うものとされる。特に内部の弾性支持部材１３をパステル調や流行色などを採用することもでき、個性が認められる外観を作り出すことができる。透明樹脂は無色透明であっても良く、有色で透明なものや半透明などであっても良い。
【００２６】
図７及び図８に、第３の実施形態の花器として、花器本体２２を略立方体となるように形成した例を示す。花器本体２２は略正方形状の底面部２５と該底面部２５から立ち上がり該底面部２５を取り囲む側壁部２４を有しており、この花器本体２２の底面部２５から略垂直に立ち上がるように複数の弾性支持部材２３ａ、２３ｂが配設されている。このように第１の実施形態に如き円筒形のものに限定されず、立方体とすることも可能である。
【００２７】
また、図示を省略しているが、花器本体は他の形状であっても良く、例えば六角柱、三角柱、その多角柱のような形状であったり、断面菱形や断面楕円などの柱状体、さらにこれらの組み合わせなどであっても良い。また、必ずしも側壁部は肉厚の一定な板状部材に限る必要はなく、キャラクターの外観を備えたものや、種々のオブジェクト、構造物や模型などの外形形状を有していても良い。
【００２８】
図９乃至図１２にその他の変形例について示す。図９、図１０は第４の実施形態の花器として、複数の弾性支持部材３３ａ、３３ｂの高さが円筒状の花器本体３２の側壁部３４の高さよりも低く設定されている例であり、底面部３５に複数の弾性支持部材３３ａ、３３ｂの底面側が埋め込まれている点は同様であり、複数の弾性支持部材３３ａ、３３ｂの間隔が多段階に設定されている点も同様である。
【００２９】
図１１、図１２は第５の実施形態の花器として、複数の弾性支持部材４３ａ、４３ｂの高さが底面矩形状の花器本体４２の側壁部４４の高さよりも低く設定されている例であり、底面部４５に複数の弾性支持部材４３ａ、４３ｂの底面側が埋め込まれている点は同様であり、複数の弾性支持部材４３ａ、４３ｂの間隔が多段階に設定されている点も同様である。
【００３０】
これらの図９乃至図１２に示す変形例についても、同様に各弾性支持部材３３、４３は弾性変形しながら花等を保持できるため、花のサイズによらずに確実な保持ができる。また、各花は略垂直方向に延びるように保持されるため、一本の花を差し込む場合でも略垂直に保持することが可能である。
【図面の簡単な説明】
【００３１】
【図１】本発明の第１の実施形態にかかる花器の斜視図である。
【図２】本発明の第１の実施形態にかかる花器の斜視図であって、花を差したところを示す。
【図３】本発明の第１の実施形態にかかる花器の断面図である。
【図４】本発明の第１の実施形態にかかる花器の上面図である。
【図５】本発明の第２の実施形態にかかる花器の斜視図である。
【図６】本発明の第２の実施形態にかかる花器の斜視図であって、花を差したところを示す。
【図７】本発明の第３の実施形態にかかる花器の断面図である。
【図８】本発明の第３の実施形態にかかる花器の上面図である。
【図９】本発明の第４の実施形態にかかる花器の断面図である。
【図１０】本発明の第４の実施形態にかかる花器の上面図である。
【図１１】本発明の第５の実施形態にかかる花器の断面図である。
【図１２】本発明の第５の実施形態にかかる花器の上面図である。
【符号の説明】
【００３２】
１、１１  花器
２、１２、２２、３２、４２  花器本体
３、３ａ、３ｂ、１３、２３ａ、２３ｂ、３３ａ、３３ｂ、４３ａ、４３ｂ  弾性支持部材
４、１４、２４、３４、４４  側壁部
５、１５、２５、３５、４５  底面部
７  花
【図１】
2006246922.tif 000003
【図２】
2006246922.tif 000004
【図３】
2006246922.tif 000005
【図４】
2006246922.tif 000006
【図５】
2006246922.tif 000007
【図６】
2006246922.tif 000008
【図７】
2006246922.tif 000009
【図８】
2006246922.tif 000010
【図９】
2006246922.tif 000011
【図１０】
2006246922.tif 000012
【図１１】
2006246922.tif 000013
【図１２】
2006246922.tif 000014